(57)【要約】【課題】本体が軽量であり、形状が交差式であるため装着者にかかる重圧が背中や両わき腹にも分散されることにより装着者の体にかかる負担を軽減するとともに、乳幼児にとって良い居心地と安全性も確保し、且つ簡単に装脱着及び折畳んで持運びできる乳幼児用の交差式折畳み抱っこ紐を提供する。【解決手段】本発明の交差式折畳み抱っこ紐は、装着者の腹部及び背中側に交差部分と、両わき腹にはねじれ部分（右）４、（左）５が形成されるように構成された環状の布（右）２、（左）３と、ファスナー１６とスナップボタン１５が縫製された背当部分１２と、腹側交差部分６の辺りに縫製された折畳み形態保持用スナップボタン凹１８からなり、交差式折畳み抱っこ紐を折畳んだ際には、スナップボタン凸１３と折畳み形態保持用スナップボタン凹１８とを結合させることにより、折畳まれた状態が保持される。【選択図】図１
2009207848.tif 000002
【特許請求の範囲】
【請求項１】
乳幼児用の交差式折畳み抱っこ紐であり、
（Ａ）均等の幅の１枚の布をねじれた状態で縫製することにより出来る環状の布を２本組合せ、
（Ｂ）前記縫製部分を中央に位置し、交差部分を縫製し固定することにより、装着者の腹側に乳幼児を乗せる部分ができ、
（Ｃ）装着者の背中側には、装着者の体型に合った位置で交差部分が形成され、
（Ｄ）前記腹側交差部分の上部に位置するＶ字状のスペースに、三角形の２枚の同じ大きさの布から形成された、乳幼児を支える背当部分を縫製し、
（Ｅ）前記背当部分には、縦方向にファスナーと、
（Ｆ）前記ファスナーのつまみ部分には、ファスナーの開閉動作をサポートするリボンが縫製されており、
（Ｇ）前記背当部分の上縁部分の内側には、スナップボタン凸と凹からなる１組のスナップボタンが縫製されているのに加え、
（Ｈ）前記上縁部分全体に入っているゴムで、乳幼児を支える補助をすると共に、
（Ｉ）前記背当部分には、乳幼児を入れるための自然なふくらみが形成され、
（Ｊ）前記背当部分の右側上縁部分に縫製されたスナップボタン凸と前記腹側交差部分の一部に縫製されたスナップボタン凹を結合することにより、本交差式折畳み抱っこ紐を折畳んだ際に折畳み形態が保持され、
（Ｋ）前記の布は、すべてキルティング加工のものであり、その縁にはバイアステープが縫製されている、
ことを特徴とする交差式折畳み抱っこ紐。
【発明の詳細な説明】
【技術分野】
【０００１】本発明は、乳幼児用の交差式折畳み抱っこ紐に関する。更に詳しくは、本発明は軽量であり、形状が交差式であるため、装着者にかかる重圧が背中や両わき腹にも分散されることにより、装着者の体にかかる負担を軽減するとともに、乳幼児にとって良い居心地と安全性も確保し、且つ簡単に装脱着及び折畳んで持運びできるようにしたものである。
【背景技術】
【０００２】従来、実用化されている抱っこ紐はデザインや素材や目的が多様化しているが（一例として、特許文献１及び２等参照）、それらにはバックルやリング等の接続部分が存在し、装脱着方法が複雑なものが多いことから装脱着が面倒であったり接続部分や縫製部分で乳幼児の皮膚や衣服が傷ついたりすることもあった。その上、本体の重量も重く、装着者へかかる重量の負担から頭痛や腰痛を引き起こすことがあったり、本体の形状が固定されていたりコンパクトに収納できないことから、携帯するのにも荷物になっていたりもした。ベビースリング（一例として、特許文献２等参照）に関しては、リングによる接続部分のみならず、乳幼児を包んだり支えたりする布を沢山使用していることにより本体の重量が重いだけでなく、装着者へかかる重圧の支点が片一方の肩であるため、乳幼児の成長に伴い装着者への負担もより大きくなっていく現状である。【０００３】
【特許文献１】特開２００４−２３６７３６号公報
【０００４】
【特許文献２】特開２００６−１１６２６１号公報
【発明の開示】
【発明が解決しようとする課題】
【０００６】日常的に使用の頻度や需要のある抱っこ紐であるのに、装脱着の複雑さや手間や面倒があり、その上接続部分があることによる危険性もあった。また、本体の重量に加え乳幼児の体重を支える装着者への体の負担も大きかった。更に、持運びについてもコンパクトさに欠け、不便だった。本発明は、この課題を解消するためになされたものである。
【課題を解決するための手段】
【０００７】以下、本発明を説明する。
乳幼児用の交差式折畳み抱っこ紐であり、
（Ａ）均等の幅の１枚の布をねじれた状態で縫製することにより出来る環状の布を２本組合せ、
（Ｂ）前記縫製部分を中央に位置し、交差部分を縫製し固定することにより、装着者の腹側に乳幼児を乗せる部分ができ、
（Ｃ）装着者の背中側には、装着者の体型に合った位置で交差部分が形成され、
（Ｄ）前記腹側交差部分の上部に位置するＶ字状のスペースに、三角形の２枚の同じ大きさの布から形成された、乳幼児を支える背当部分を縫製し、
（Ｅ）前記背当部分には、縦方向にファスナーと、
（Ｆ）前記ファスナーのつまみ部分には、ファスナーの開閉動作をサポートするリボンが縫製されており、
（Ｇ）前記背当部分の上縁部分の内側には、スナップボタン凸と凹からなる１組のスナップボタンが縫製されているのに加え、
（Ｈ）前記上縁部分全体に入っているゴムで、乳幼児を支える補助をすると共に、
（Ｉ）前記背当部分には、乳幼児を入れるための自然なふくらみが形成され、
（Ｊ）前記背当部分の右側上縁部分に縫製されたスナップボタン凸と前記腹側交差部分の一部に縫製されたスナップボタン凹を結合することにより、本交差式折畳み抱っこ紐を折畳んだ際に折畳み形態が保持され、
（Ｋ）前記の布は、すべてキルティング加工のものであり、その縁にはバイアステープが縫製されている、
ことを特徴とする交差式折畳み抱っこ紐。
【発明の効果】
【０００８】本発明の交差式折畳み抱っこ紐は、バックルやリングを使用することなく布以外に装備されているものをファスナーとスナップボタンのみの最小限にしているため、装着者や乳幼児にとって安全に使用することができ且つ軽量であり、またねじれた状態で環状となっている幅広の布から形成されており、またその幅が均等、且つキルティング加工された布からなる交差式であるため、装着者の体になじみやすく、適度なクッション性があり、乳幼児の重量も装着者の背中をメインに、なだらかな曲線の本体のわき腹部分の形状に沿って両わき腹にも分散され、布が装着者に食い込んだりしないため肩や腰への負担が少ない。
また、キルティング加工された布の縁ほぼ前面にバイアステープによる縁取りが施されているため、強度にも優れている。
更に、装脱着が容易であり、また軽量であり、更にコンパクトに折畳むことができる上、スナップボタンを結合させることにより折畳まれた状態を保持することができるため、持ち運びにも便利であり、場所を選ばず使用できる。
また、背当部分には上縁部分にゴムが入っており、乳幼児を支える補助の役割を果たすとともに伸縮性もあり、更に上縁部分から縦方向にファスナーが縫製されており、ファスナーのつまみ部分にはファスナーの開閉動作をサポートするリボンが縫製されているため、乳幼児の出し入れがスムース且つ容易に行えることから、眠った乳幼児を交差式折畳み抱っこ紐から下ろす場合にも有効的である。
更に、ファスナー上部には１組のスナップボタンが縫製されているため、ファスナー単体よりもより安全である。
また、背当上縁部分にゴムが入っていることで、背当部分全体に自然な膨らみができるため、無理なく乳幼児を交差式折畳み抱っこ紐に納めることができる。
更に、本発明がシンプルな形状であって、装着者の腹部と乳幼児の腹部が常に密着しているため、乳幼児にとって心地良い環境となり、安心感を得ることができたり、スキンシップをはかることが出来たりもする。
また、本発明を使用中に乳幼児がぐずった際にも、そのままの状態で簡単に交差式折畳み抱っこ紐ごと乳幼児を抱きかかえることもできるため、通常の抱っこに近い形をとることができ、あやしたり即座に対応したりすることができる。
更に、本発明は家庭で簡単に洗濯することができるため、容易に手入れをおこなうことができる上、長さ設定や紐通し作業などの使用前の再調節が不要であるため、そのままの状態でいつでも清潔に交差式折畳み抱っこ紐を使用することができる。
【発明を実施するための最良の形態】
【０００９】以下、本発明を更に詳しく説明する。
本発明の交差式折畳み抱っこ紐は、主に、２本の環状の布と背当部分から構成されている。
前記２本の環状の布は、それぞれ１本ずつの縫い合わせ部分が中心にくるように交差して配置されて縫製されており（図１及び図２における「腹側交差部分６」参照）、装着時にはこの交差部分が装着者の腹側に位置し（図５参照）、この交差部分により乳幼児の臀部が支えられる（図１１参照）。
前記背当部分は、前記交差部分に形成されるＶ字状のスペースに、上縁にはゴムの入っている同じ大きさの三角形の２枚の布にファスナーとスナップボタンが取り付けられた背当部分の布を縫い合わせることにより環状の布に固定されており（図１における「背当部分１２」参照）、この背当部分で乳幼児の背中等を支える（図１１参照）。
また、装着者の背中側にも交差部分（図２、図６、及び図１２における「背中側交差部分７」参照）が形成される仕組みになっている。更に、縫製されているのは前記腹側交差部分のみのため、前記背中側交差部分は装着者の体にあった位置で形成される。
また、前記ねじれ部分（図１、図２、図５、図６、図１１、及び図１２における「ねじれ部分（右）４、（左）５」参照）が装着者のわき腹のラインに自然な形で沿うように形成されている。
本発明の交差式折畳み抱っこ紐は、幅広の均一の幅の環状の布が装着者の体のラインに沿う形態で、支える重量を装着者の背中をメインに両わき腹へも分散するため、布が装着者に食い込んだりする事もなく、装着者への負担が少ない。【００１０】本発明の交差式折畳み抱っこ紐の説明目的の図面上においては、乳幼児の腕が環状の布及び背当部分の外側に描かれているが（図９、図１０、図１１、図１３、及び図１４）、乳幼児の体の大きさや状態などに合わせて、前記環状の布及び背当部分の内側に入っていてもよい。【００１１】本発明の交差式折畳み抱っこ紐に使用される布地は、軽量な上、適度なクッション性を持ち、強度にも優れているという観点からキルティング加工されたものであり、その縁ほぼ前面には強度強化のためにバイアステープによる縁取りが施されていることが好ましいが、安全性（強度）、機能性、及び快適性に優れている素材であれば、バイアステープ加工の施されたキルティング布以外のものを使用することも可能である。【００１２】前記背当部分の中央にはファスナーがあり（図１における「ファスナー１６」参照）、そのファスナーのつまみ部分にはファスナーの開閉動作をサポートするリボン（図１における「ファスナー開閉用リボン１７」参照）がデザインされており、この素材は人肌に優しく安全なため布製のリボンが好ましいが、別の素材または別の材料でも構わないし、更には何も付けずに単純にファスナーのつまみそのままの状態でも構わない。【００１３】前記腹側交差部分に縫製されている折畳み形態保持用スナップボタン凹（図１における「折畳み形態保持用スナップボタン凹１８」参照）は、装着者及び乳幼児の双方にとって痛みを伴ったり邪魔になったりしない上、折畳んだ際にコンパクト且つスナップボタン凸（図１における「スナップボタン凸１３」参照）と結合可能であり、折畳み形態を保持できれば、位置は異なってもよい。又は、折畳み形態保持用スナップボタンを特に備えずに、巾着等に入れて携帯してもよい。
【実施例】
【００１４】以下、本発明の実施形態について図面を参照して詳細に説明する。
［１］本発明である、交差式折畳み抱っこ紐の構成
図１及び図２は、本発明の交差式折畳み抱っこ紐の構成を示す模式図であり、これらで示すように交差式折畳み抱っこ紐は環状の布（右）２、（左）３と背当部分１２及び折畳み形態保持用スナップボタン凹１８からなり、使用される布については環状の布及び背当部分のいずれもキルティング加工されたものにバイアステープで縁取りが施されている。【００１５】環状の布（右）２、（左）３は、それぞれ１本の均等の幅のものがねじれた状態で縫製されることにより環状となっており、それらを交差させて縫製した結果、装着時には装着者の腹側には縫製により固定された交差部分６が配置され、また背中側には装着者の体に合った位置で交差部分７が形成される。更に、両わき腹にはそれぞれねじれ部分（右）４、（左）５が装着者の体のラインに自然な形で沿うように配置される。【００１６】背当部分１２は、同じ大きさの２枚の三角形の布にファスナーとスナップボタンが縫製されたものからなり、その上縁部分（右）８、（左）９にはゴムが入っていて、腹側交差部分６の上部付近に位置するＶ字状のスペースに縫製されることにより固定されている。【００１７】折畳み保持用スナップボタン凹１８は、本発明である交差式折畳み抱っこ紐を折畳んだ際に、背当部分（左）１１の上縁部分（左）９に縫製されているスナップボタン凸１３と結合されることにより、折畳まれた状態を保持することができる。【００１８】［２］本発明である、交差式折畳み抱っこ紐の装着方法
本発明の交差式折畳み抱っこ紐は、下記（１）〜（７）のようにして装着することができる。
（１）図３に示すように、背当部分１２を前方に向けた状態で、腹側交差部分６が下面にくるようにクロスをつくる。
（２）図４に示すように、右側の輪には装着者の右腕を、左側の輪には装着者の左腕を通した状態で、中央の輪には装着者の頭を通す。
（３）余計なしわやねじれがないように本発明の交差式折畳み抱っこ紐を整え、図５及び図６に示すように、交差式折畳み抱っこ紐が肩や背中からわき腹にかけて装着者に平らに沿うように正しく装着する。
（４）図７に示すように、両手を腹側交差部分６に通して矢印の方向へ押し下げ、左右が均等になるようにし、乳幼児が入るスペースをつくる。
（５）図８に示すように、乳幼児を抱きかかえ、乳幼児の片足ずつ本発明の交差式折畳み抱っこ紐に入れていき、乳幼児を落下させないように注意しながら体勢や衣服を整える。この時、乳幼児の股関節がしっかり開いているように気をつける。
（６）図９に示すように、スナップボタン凸１３、凹１４を結合させる。
（７）図１０に示すように、矢印の方向へファスナー１６を上げて背当部分１２を閉じる。尚、図面では乳幼児の両腕が交差式折畳み抱っこ紐の外側に出ているが、乳幼児の体の大きさや状態により内側に入っていてもよい。【００１９】［３］本発明である、交差式折畳み抱っこ紐の取りはずし方法
本発明の交差式折畳み抱っこ紐は、下記（１）〜（３）のようにして取りはずすことができる。
（１）図１３に示すように、スナップボタン１５をはずす。
（２）図１４に示すように、矢印の方向へファスナー１６を下げる。この時、乳幼児を落下させないように特に気をつける。
（３）乳幼児が起きている場合は、図１５に示すように、乳幼児を抱っこして本発明の交差式折畳み抱っこ紐から出す。乳幼児が寝ている場合は、乳幼児が交差式折畳み抱っこ紐に入った状態のまま装着者ごと体を傾け、乳幼児を寝かせるように静かに配置し、そのままの姿勢で装着者がゆっくりと後ろへさがっていくと乳幼児が寝た状態のまま交差式折畳み抱っこ紐から出すこともできる。【００２０】［４］本発明である、交差式折畳み抱っこ紐の折畳み方法
本発明の交差式折畳み抱っこ紐は、下記（１）〜（５）のように折畳むことができる。
（１）図１６に示すように、本発明の交差式折畳み抱っこ紐の腹側交差部分６が下面にくるように配置する。この際、左右の環状の布２、３の適当なところにねじれ部分が形成される。
（２）図１７に示すように、環状の布（右）２、（左）３を点線の辺りで矢印の方向へ畳み、図１８に示す形態となる。
（３）図１８に示すように、環状の布（左）３を点線の辺りで矢印の方向へ畳み、図１９に示す形態となる。
（４）図１９に示すように、これまで畳んできた環状の布（左）３を点線の辺りで矢印の方向へ畳み、図２０の点線を交えた実線で示す形態となる。
（５）図２０に示すように、点線で描かれたスナップボタン１３凸をつまみ、矢印の方向へ倒し、折畳み形態保持用スナップボタン凹１８と結合させる。【００２１】尚、本発明において、図面によって説明した実施形態に限定されるものではなく、第一条件として、安全性に問題がなければ、目的及び用途に基づいて変更することができる。例えば、使用する布がバイアステープによる縁取りが施されたキルティング加工以外のものでも構わないし、ファスナー開閉用のリボンの素材が布製でなくても構わない。更には、ファスナーにリボンがついていなくても構わない。あるいは、折畳み形態保持用のスナップボタン凹１８の位置が異なってもよいし、折畳み形態保持用スナップボタンを特に備えずに、巾着等に入れて携帯してもよい。
【図面の簡単な説明】
【００２２】
【図１】本発明の形態（正面）を示す模式図である。
【図２】本発明の形態（背面）を示す模式図である。
【図３】本発明の装着方法を示す模式図である。
【図４】本発明の装着方法を示す模式図である。
【図５】本発明の装着方法を示す模式図である。
【図６】本発明の装着方法を示す模式図である。
【図７】本発明の装着方法を示す模式図である。
【図８】本発明の装着方法を示す模式図である。
【図９】本発明の装着方法を示す模式図である。
【図１０】本発明の装着方法を示す模式図である。
【図１１】本発明の使用形態（正面）を示す模式図である。
【図１２】本発明の使用形態（背面）を示す模式図である。
【図１３】本発明の取りはずし方法を示す模式図である。
【図１４】本発明の取りはずし方法を示す模式図である。
【図１５】本発明の取りはずし方法を示す模式図である。
【図１６】本発明の折畳み方法を示す模式図である。
【図１７】本発明の折畳み方法を示す模式図である。
【図１８】本発明の折畳み方法を示す模式図である。
【図１９】本発明の折畳み方法を示す模式図である。
【図２０】本発明の折畳み方法を示す模式図である。
【符号の説明】
【００２３】  １  交差式折畳み抱っこ紐本体
２  環状の布（右）
３  環状の布（左）
４  ねじれ部分（右）
５  ねじれ部分（左）
６  腹側交差部分
７  背中側交差部分
８  上縁部分（右）
９  上縁部分（左）
１０  背当部分（右）
１１  背当部分（左）
１２  背当部分
１３  スナップボタン凸
１４  スナップボタン凹
１５  スナップボタン
１６  ファスナー
１７  ファスナー開閉用リボン
１８  折畳み形態保持用スナップボタン凹
【図１】
2009207848.tif 000003
【図２】
2009207848.tif 000004
【図３】
2009207848.tif 000005
【図４】
2009207848.tif 000006
【図５】
2009207848.tif 000007
【図６】
2009207848.tif 000008
【図７】
2009207848.tif 000009
【図８】
2009207848.tif 000010
【図９】
2009207848.tif 000011
【図１０】
2009207848.tif 000012
【図１１】
2009207848.tif 000013
【図１２】
2009207848.tif 000014
【図１３】
2009207848.tif 000015
【図１４】
2009207848.tif 000016
【図１５】
2009207848.tif 000017
【図１６】
2009207848.tif 000018
【図１７】
2009207848.tif 000019
【図１８】
2009207848.tif 000020
【図１９】
2009207848.tif 000021
【図２０】
2009207848.tif 000022